(57)【要約】【課題】人体への感電をなくし、かつ被加熱物の浮き上がりを防止した信頼性が高くコンパクト設計可能な誘導加熱装置を提供すること。【解決手段】加熱コイルとトッププレートの間に設けた電気導体は、その外周部から下方に向けて形成され、加熱コイルを支持する支持体の下側で外側又は内側に曲げられた曲げ部を具備する延長部と、延長部の先端に設け低電位部と接続する接続部を有し、曲げ部近傍の断面形状を一様にすることにより、人体への感電をなくし、かつ被加熱物の浮き上がりを防止し、曲げ部の応力集中がなくなり、曲げ部の強度が向上することになるので、電気的接続が確実なものとなり、信頼性が高くコンパクト設計可能な誘導加熱装置となる。【選択図】図１
2006310117.tif 000002
【特許請求の範囲】
【請求項１】
被加熱物を載置するトッププレートと、前記トッププレートの下方に設けて前記被加熱物を誘導加熱する加熱コイルと、前記加熱コイルと前記トッププレートの間に設けた電気導体とを備え、前記電気導体の外周部から下方に向けて形成され、前記加熱コイルを支持する支持体の下側で外側又は内側に曲げられた曲げ部を具備する延長部と、前記延長部の先端に設け低電位部と接続する接続部を有し、前記曲げ部近傍の断面形状を一様にしたことを特徴とする誘導加熱装置。
【請求項２】
支持体に曲げ部の曲げアールを規制する案内部を設けた請求項１に記載の誘導加熱装置。
【請求項３】
支持体に延長部の下側方向への移動を規制するストッパを設けた請求項１または２に記載の誘導加熱装置。
【請求項４】
接続端子と接続部を接続したとき、支持体に延長部の上側方向への移動を規制するストッパを設けた請求項１〜３いずれか１項に記載の誘導加熱装置。
【請求項５】
支持体に曲げ部の曲げ角度を調整する曲げ角度調整部を設けた請求項１〜４のいずれか１項に記載の誘導加熱装置。
【請求項６】
電気導体をアルミニウムまたはアルミニウム合金とし、延長部を別部材とするとともに、前記延長部の材質をステンレスとした請求項１〜５のいずれか１項に記載の誘導加熱装置。
【請求項７】
電気導体をアルミニウムまたはアルミニウム合金とし、延長部を別部材とするとともに、前記延長部の材質をステンレスとし、かつ、めっき処理を施した請求項１〜５のいずれか１項に記載の誘導加熱装置。
【発明の詳細な説明】
【技術分野】
【０００１】
本発明は、被加熱物と加熱コイルとの間に電気導体を設けた誘導加熱装置に関するものである。
【背景技術】
【０００２】
従来、加熱コイルの発生する高周波磁界により負荷となる鍋等の被加熱物に渦電流を誘起して加熱する誘導加熱装置が、熱効率が高く、安全で且つ清潔であるという特性から注目されている。近年は、鉄のような高透磁率の被加熱物だけでなく、アルミニウム又は銅のような低透磁率で高電気伝導率の被加熱物を加熱することができる誘導加熱装置が開発されている。
【０００３】
ところで、このような誘導加熱装置では、加熱コイルと被加熱物との間に浮遊容量（等価容量）が存在し、ユーザが被加熱物に触ると、浮遊容量及びユーザの身体の内部抵抗（等価抵抗）を通じて、加熱コイルからグラウンドに電流が流れる。
【０００４】
低透磁率で高電気伝導率の被加熱物を加熱する場合は、高透磁率の被加熱物を加熱する場合よりも、加熱コイルの巻数が多く、加熱コイルに印加される電圧が高いため、高圧の加熱コイルから人体に所定以上の電流が漏洩することは危険である。このため、低透磁率で高電気伝導率の被加熱物を加熱する誘導加熱装置の場合、人体に漏洩電流が流れることを防止する必要があり、トッププレートの裏面に導電膜を設け、その導電膜を接地することにより、人体に漏洩電流が流れることを防止するものが知られている（例えば、特許文献１参照）。
【０００５】
また、誘導加熱装置は、被加熱物に到達する磁束の量により、被加熱物の加熱温度を調整することができる。このため、加熱コイルと被加熱物との間に環状の電気導体を用いて温度分布を調節するものが知られている（例えば、特許文献２参照）。この場合、電気導体は、外周縁と内周縁との間にスリットを有する。電気導体の外周縁には、加熱コイルの高周波電流と反対方向の誘導電流が流れ、この誘導電流はスリットで遮断される。電気導体の内周縁には、外周縁の誘導電流と逆向き（加熱コイルと同一方向）の誘導電流が流れる。この加熱コイルに流れる高周波電流と、電気導体の外周縁及び内周縁に流れる誘導電流とによって、磁界の強度を調節し、被加熱物を加熱するものである。
【０００６】
特に低透磁率で高電気伝導率の被加熱物を加熱する場合、電気導体は発熱するが、近年普及してきた天面操作型の機器などに対しては、電気導体の熱影響が天面操作のＬＣＤなどに害を及ぼさないように、電気導体はできるだけ天面操作部から離す必要がある。また、さらなる高性能化の要望に伴い、筐体内は高密度化し、横方向、高さ方向ともにコンパクトな設計が要求される。
【特許文献１】特開昭５０−８２０４６号公報
【特許文献２】特開平７−２４９４８０号公報
【発明の開示】
【発明が解決しようとする課題】
【０００７】
しかしながら、前記従来の構成では、人体に漏洩電流が流れることを防ぐ導電膜、温度分布の調整を行う電気導体は、それぞれ別個の部品であった。そのため、これらの機能を全て有する誘導加熱装置となると、高価になるという課題を有していた。また、コンパクト設計への対応は十分なされていないものであった。
【０００８】
本発明は、前記従来の課題を解決するもので、人体への感電をなくし、かつ被加熱物の浮き上がりを防止した信頼性が高くコンパクト設計可能な誘導加熱装置を提供することを目的とするものである。
【課題を解決するための手段】
【０００９】
前記従来の課題を解決するために、本発明の誘導加熱装置は、加熱コイルとトッププレートの間に設けた電気導体は、その外周部から下方に向けて形成され、加熱コイルを支持する支持体の下側で外側又は内側に曲げられた曲げ部を具備する延長部と、延長部の先端に設け低電位部と接続する接続部を有し、曲げ部近傍の断面形状を一様にしたものである。
【００１０】
これによって、電気導体が浮力低減機能及び静電シールド機能の両機能を有し、部品数を少なくし、人体への感電をなくし、かつ被加熱物の浮き上がりを防止した誘導加熱装置となる。また、接続部は電気導体の外周部から下方に向けて形成されているので、特に径方向に電気導体が大きくなることなく、コンパクトとなり、天面ＬＣＤ等周囲部品への電気導体からの熱的悪影響がない。
【００１１】
さらに、電気導体の外周部から下方に向けて形成され、加熱コイルを支持する支持体の下側で外側又は内側に曲げられた曲げ部を具備する延長部を設けているので、接続部までの距離を伸ばすことで接続部への熱伝導を低減し、接続部の温度を下げることができる。また、曲げ部近傍の断面形状を一様にしたことにより、曲げ部の応力集中がなくなり、曲げ部の強度（耐折損性）が向上する。これらにより、電気的接続が確実なものとなり、信頼性が高くコンパクト設計可能な誘導加熱装置が実現できる。
【発明の効果】
【００１２】
本発明の誘導加熱装置は、人体への感電をなくし、かつ被加熱物の浮き上がりを防止した信頼性が高くコンパクト設計可能とできる。
【発明を実施するための最良の形態】
【００１３】
第１の発明は、被加熱物を載置するトッププレートと、前記トッププレートの下方に設けて前記被加熱物を誘導加熱する加熱コイルと、前記加熱コイルと前記トッププレートの間に設けた電気導体とを備え、前記電気導体の外周部から下方に向けて形成され、前記加熱コイルを支持する支持体の下側で外側又は内側に曲げられた曲げ部を具備する延長部と、前記延長部の先端に設け低電位部と接続する接続部を有し、前記曲げ部近傍の断面形状を一様にしたことを特徴とする誘導加熱装置である。
【００１４】
これによって、電気導体が浮力低減機能及び静電シールド機能の両機能を有し、部品数を少なくし、人体への感電をなくし、かつ被加熱物の浮き上がりを防止した誘導加熱装置となる。また、接続部は電気導体の外周部から下方に向けて形成されているので、特に径方向に電気導体が大きくなることなく、コンパクトとなり、天面ＬＣＤ等周囲部品への電気導体からの熱的悪影響がない。
【００１５】
さらに、電気導体の外周部から下方に向けて形成され、加熱コイルを支持する支持体の下側で外側又は内側に曲げられた曲げ部を具備する延長部を設けているので、接続部までの距離を伸ばすことで接続部への熱伝導を低減し、接続部の温度を下げることができる。また、曲げ部近傍の断面形状を一様にしたことにより、曲げ部の応力集中がなくなり、曲げ部の強度（耐折損性）が向上する。これらにより、電気的接続が確実なものとなり、信頼性が高くコンパクト設計可能な誘導加熱装置が実現できる。
【００１６】
第２の発明は、特に第１の発明において、支持体に曲げ部の曲げアールを規制する案内部を設けたことにより、曲げアールが安定するとともに、屈曲せず、滑らかに曲がるので、応力集中がなく、曲げ部の耐折損性を向上させ、信頼性を高めたものである。
【００１７】
第３の発明は、特に第１または第２の発明において、支持体に延長部の下側方向への移動を規制するストッパを設けたことにより、延長部（接続部）の下側への移動量が規制されるので、下側の部品との干渉防止が容易になり、構造的に安定した信頼性のあるものにすることができる。
【００１８】
第４の発明は、特に第１〜第３の発明において、接続端子と接続部を接続したとき、支持体に延長部の上側方向への移動を規制するストッパを設けたことにより、接続端子（接続部）の上側への移動量が規制されるので、上側の部品との干渉防止が容易になり、構造的に安定した信頼性のあるものにすることができる。
【００１９】
第５の発明は、特に第１〜第４の発明において、支持体に曲げ部の曲げ角度を調整する曲げ角度調整部を設けたことにより、一定の曲げ角度で曲げることが容易になり、作業性が向上する。
【００２０】
第６の発明は、特に第１〜第５の発明において、電気導体をアルミニウムまたはアルミニウム合金とし、延長部を別部材とするとともに、前記延長部の材質をステンレスとしたことにより、曲げ部を有する延長部をステンレスとすることで、曲げ強度（耐折損性）が向上する。
【００２１】
第７の発明は、特に第１〜第５の発明において、電気導体をアルミニウムまたはアルミニウム合金とし、延長部を別部材とするとともに、前記延長部の材質をステンレスとし、かつ、めっき処理を施したことにより、曲げ部を有する延長部をステンレスとすることで、曲げ強度（耐折損性）が向上するとともに、めっき処理を施すことで、ステンレスの耐酸化性が向上し、特に電気導体と延長部の接続部の接触抵抗の増大を防止することができ、信頼性が向上する。
【００２２】
以下、本発明の実施の形態について、図面を参照しながら説明する。なお、この実施の形態によって本発明が限定されるものではない。
【００２３】
（実施の形態１）
図１（ａ）（ｂ）（ｃ）は、本発明の実施の形態１における誘導加熱装置を示すものである。
【００２４】
本実施の形態における誘導加熱装置は、鍋、フライパンなどの被加熱物１３を載置するトッププレート５と、トッププレート５の下方に設けて被加熱物１３を誘導加熱する加熱コイル１と、加熱コイル１側からトッププレート５に設けた電気導体４とを備え、前記電気導体４は、その外周部から屈曲部１２で屈曲され下方に向けて形成された帯状の延長部７と、延長部７の先端に設け低電位部と接続する接続部８とを有する。
【００２５】
延長部７は、加熱コイル１を支持した支持体２より下側に突出させるとともに、支持体２の下側で曲げた曲げ部１５（接続部８を内側にもってくる）を有している。これにより、電気導体４から延長部７の先端の接続部８までの距離を伸ばしている。そして、曲げ部１５の断面形状は例えば、（ｂ）または（ｃ）のように、一様になっている。
【００２６】
曲げ部１５の曲げは支持体２に案内部１６にあてることにより行われる。
【００２７】
支持体２には、延長部７が下側へ移動するのを規制するストッパ１７が設けてある。さらに、支持体２には接続部８と接続端子１４を接続したとき、延長部７が、上側へ移動するのを規制するストッパ１８が設けてある。
【００２８】
また、支持体２には、曲げ部１５の曲げ角度を調整する曲げ角度調整部１９を設けてある。
【００２９】
加熱コイル１は、制御回路（図示せず）から高周波電流を供給されると、高周波磁界を発生し、被加熱物１３を誘導加熱するものであり、内側を高電位側にし、外側を低電位側にしている。そして、加熱コイル１は支持体２上部に載置され支持されている。
【００３０】
支持体２は耐熱樹脂製で、加熱コイル１の下面に強磁性体のフェライトコア３を略平行に配置している。支持体２はフェライトコア３の表面を覆うように形成され、フェライトコア３が加熱コイル１と電気的に絶縁される構成になっている。
【００３１】
電気導体４は、加熱コイル１とトッププレート５の間に設けられ、好ましくは、トッププレート５のすぐ下で、絶縁板６の上に載置されトッププレート５に設けている。電気導体４は、絶縁板６の上に載置されることにより、空間１０を介して加熱コイル１と電気的に絶縁される。電気導体４の位置は絶縁板６を介して、支持体２から突出した電気導体支持部９により規制される。電気導体支持部９は内周側に巾約２ｍｍで４箇所、外周側に巾約１５ｍｍで１２箇所等間隔に配置されており、冷却風が加熱コイル１の上面を流れる妨げにならないようになっている。
【００３２】
電気導体４は、厚さが略１ｍｍのアルミニウムの板により形成され、外径及び内径が加熱コイル１のものとほぼ同じ略ドーナツ状で、幅約１０ｍｍのスリットで２分割されている（図示せず）。
【００３３】
延長部７の先端の接続部８で接続端子１４による接続が行われ、コンデンサ１２を介して商用電源電位、あるいは加熱コイル１に高周波電流を供給するインバータの入力する商用電源を整流した電位、あるいは大地に電気的に接続される。
【００３４】
絶縁体であるトッププレート５は耐熱セラミックス製であり、その上にアルミニウム等の被加熱物１３が加熱コイル１に対向するように載置される。
【００３５】
以上のように構成された誘導加熱装置について、以下その動作、作用を説明する。
【００３６】
加熱コイル１に制御回路（図示せず）から高周波電流が供給されると、加熱コイル１は磁界を発生する。加熱コイル１の発生する高周波磁界により、被加熱物１３の底面に電流が誘起される。電気導体４がない場合、誘導電流は加熱コイル１から発生した磁界を相殺する様に被加熱物１３に誘起される。この結果、加熱コイル電流と方向が逆で平行な誘導電流が高電気伝導率の被加熱物１３に誘導される。誘導電流と加熱コイル電流との相互作用で被加熱物１３の底に加熱コイル２から遠ざかろうとする反発力が生じ、被加熱物１３に浮力が発生する。特に、被加熱物１３がアルミニウムや銅といった低透磁率かつ高電気伝導率なる材料である場合に、浮力が生じる。
【００３７】
電気導体４がある場合は、加熱コイル１の発生する磁界が電気導体４に鎖交して、電気導体４に誘導電流が誘起される。電気導体４の厚みは約１ｍｍで浸透深さ以上の厚みを有するので、電気導体４に鎖交した磁界の大部分はほとんど電気導体４を通過せず、外周側または内周側に迂回してから被加熱物１３方向に導かれる。つまり、被加熱物１３に誘導される電流の分布は、電気導体４に誘導電流が発生することにより変わる。
【００３８】
加熱コイル１が発生する磁界は、電気導体４と被加熱物１３に鎖交し、両者に誘導電流を発生させる。被加熱物１３に誘起された誘導電流は、加熱コイル１の発生する磁界分布と、電気導体４に誘起された電流の発生する磁界分布の重畳した磁界分布が被加熱物１３に鎖交することにより発生する。このように、電気導体４が介在することにより、被加熱物１３に誘導される電流分布が変化し、さらに電気導体４に発生する電流分布が加わるということから、加熱コイル１の等価直列抵抗（被加熱物１３及び電気導体４を加熱状態と同様の位置配置で、加熱周波数近傍の周波数を使用して測定した加熱コイル１の入力インピーダンスにおける等価直列抵抗）が大きくなる。
【００３９】
等価直列抵抗が大きくなると、同じ加熱コイル電流でも被加熱物１３における発熱量が大きくなるので、同一消費電力を得ようとする場合には加熱コイル１に流す電流値を小さくすることができ、それに伴い被加熱物１３に作用する浮力が低減する。更に、電気導体４が被加熱物１３に働くべき浮力の一部を分担することで被加熱物１３に作用する浮力を低減できる。
【００４０】
このように、電気導体４は、同一出力を得る場合の加熱コイル１に流れる電流を低減して、加熱コイル１の発生する磁界により被加熱物１３に対して働く浮力を低減する浮力低減機能を有する。この結果アルミニウム若しくは銅又はこれらと略同等以上の電気伝導率を有し、かつ低透磁率材料からなる被加熱物１３を加熱した時に浮き上がったりずれたりするのを防止することができる。
【００４１】
電気導体４はアルミニウム製であるので低透磁率であり、磁束がその電気導体４に吸収されにくい（被加熱物１３に到達しない磁束量が多くならない）。加熱コイル１の磁束が鎖交することにより、電気導体４に誘導された電流で磁界の向きや分布が変更される。電気導体４内を通過させ被加熱物１３に鎖交させるか、または電気導体４を迂回させ被加熱物１３に鎖交させるかのいずれかの経路で、磁束を効率的に被加熱物１３に鎖交させることができる。
【００４２】
電気導体４は、加熱コイル１における被加熱物１３側の面の一部または全部と対向し板状に形成されてなる。これにより、加熱コイル１から発生する磁界の一部を被加熱物１３に到達する前に、電気導体４に効率良く鎖交させ、電気導体４の周囲から迂回して被加熱物１３に加熱コイル１の磁界を鎖交させることになる。
【００４３】
なお、本実施の形態では、加熱コイル１のほぼ全部と対向するように電気導体４の大きさを決めたが、電気導体４の板の面積は大きいほど、また電気導体４が加熱コイル１に近いほど電気導体４に加熱コイル１の磁束が多く通過し、等価直列抵抗増加作用を大きくすることができることから、電気導体４の表面積は、必要とする浮力低減効果を得るように、また、電気導体４と加熱コイル１間の距離、電気導体４の発熱等の条件を考慮して決めれば良い。
【００４４】
電気導体４はトッププレート５のすぐ下に載置されることにより、電気導体４の熱はトッププレート５を介して放熱される。電気導体４の接続部８を低電位部（例えば入力する電源電圧、その整流後の直流電圧あるいはそれに近い電位など、加熱コイル１の高電位部より電位の低い部分）に接続することにより、加熱コイル１に発生する高電圧部分と被加熱物１３との静電結合が小さくなる。加熱コイル１に発生する高周波高電圧が加熱コイル１と被加熱物１３間の浮遊容量を介して使用者の体に印加し使用者の体に流れるリーク電流を抑制することができる。
【００４５】
言いかえれば、電気導体４とグラウンドとの間に、電気導体４の内部抵抗（等価抵抗）と、電気導体４と使用者の身体との間の浮遊容量（等価容量）及び使用者の身体の内部抵抗（等価抵抗）と、が並列に接続される。電気導体４の内部抵抗（等価抵抗）のインピーダンスは、浮遊容量（等価容量）及び使用者の身体の内部抵抗（等価抵抗）のインピーダンスと比較して非常に小さいので、加熱コイル１からの漏洩電流はほとんど電気導体４を通じてグラウンドに流れ、使用者の身体にはほとんど電流が漏洩しない。
【００４６】
被加熱物１３が低透磁率でしかも低抵抗のアルミニウムや銅等からなる鍋のとき、加熱コイル１に流れる周波数が高くなり、加熱コイル１に印加されるピーク電圧が１ＫＶ以上になる。
【００４７】
上記のように電気導体４が低電位部に電気的に結合されていれば、被加熱物１３と電気導体４との間の電位差が小さくなるため、被加熱物１３に人体が触れた場合の漏れ電流が大幅に低減される。したがって、被加熱物１３に人体が触れても安全である。
【００４８】
以上のように、本実施の形態においては、電気導体４は、加熱コイル１に対向して被加熱物１３を配置した時の加熱コイル１の等価直列抵抗を大きくするとともに、加熱コイル１の発生する磁界が被加熱物１３に対して働く浮力を低減する浮力低減機能を有する。アルミニウム、銅、または黄銅など高電気伝導率低透磁率の被加熱物１３を、調理中に浮き上がることを防止しつつ加熱できる。
【００４９】
また、電気導体４を直接低電位部に接続することにより、加熱コイル１に発生する高周波高電圧が加熱コイル１と被加熱物１３間の浮遊容量を介して使用者の体に流れるリーク電流を抑制することができる。
【００５０】
また、電気導体４が浮力低減機能と静電シールド機能の両方の機能を有することにより、部品数少なくコンパクト設計可能で安全かつ低価格な誘導加熱装置を実現できる。
【００５１】
また、電気導体４の外周部から下方に向けて形成され、加熱コイル１を支持する支持体２の下側で外側又は内側に曲げられた曲げ部１５を具備する延長部７を設けているので、接続部８までの距離を伸ばすことで接続部８への熱伝導を低減し、接続部８の温度を下げることができる。また、曲げ部１５近傍の断面形状を一様にしたことにより、曲げ部１５の応力集中がなくなり、曲げ部１５の強度（耐折損性）が向上する。これらにより、電気的接続が確実なものとなり、信頼性が高くコンパクト設計可能な誘導加熱装置が実現できる。
【００５２】
また、曲げ部１５の曲げは支持体２に案内部１６にあてることにより行われるので、曲げアールが安定するとともに、屈曲せず、滑らかに曲がるので、応力集中がなく、曲げ部の耐折損性を向上させ、信頼性を高めたものである。
【００５３】
支持体２には、延長部７が下側へ移動するのを規制するストッパ１７が設けてあるので、延長部７（接続部８）の下側への移動量が規制されるので、下側の部品との干渉防止が容易になり、構造的に安定した信頼性のあるものにすることができる。
【００５４】
さらに、支持体２には接続部８と接続端子１４を接続したとき、延長部７が、上側へ移動するのを規制するストッパ１８が設けてあるので、接続端子１４（接続部８）の上側への移動量が規制されるので、上側の部品との干渉防止が容易になり、構造的に安定した信頼性のあるものにすることができる。
【００５５】
支持体２に曲げ部１５の曲げ角度を調整する曲げ角度調整部１９を設けたことにより、曲げ時のスプリングバックを加味して一定の曲げ角度で曲げることが容易になり、作業性が向上する。
【００５６】
（実施の形態２）
図２は本発明の第２の実施の形態における誘導加熱装置を示すものである。実施の形態１と同一要素については同一符号を付して説明を省略する。
【００５７】
本実施の形態における誘導加熱装置は、電気導体２０をアルミニウムまたはアルミニウム合金とし、延長部２１を別部材とするとともに、延長部２１の材質をステンレスとし、かつ、めっき処理を施したものである。ステンレスはＳＵＳ４３０またはＳＵＳ３０４とし、メッキ処理は、ニッケルクロムめっき、クロムめっき、アルミメッキ等が行われる。
【００５８】
電気導体２０と延長部２１の接続は、かしめ、溶接などの方法を用い、異種金属接触による腐食が問題となる場合には、シリコン等を塗布し空気と遮断してもよい。
【００５９】
以上のように、本実施の形態においては、電気導体２０をアルミニウムまたはアルミニウム合金とし、延長部２１を別部材とするとともに、延長部２１の材質をステンレスとしたことにより、曲げ部１５を有する延長部２１をステンレスとすることで、電気導体４に適するアルミそのもので延長部２１を形成するのに比べ、曲げ強度（耐折損性）が向上する。また、めっき処理を施すことで、ステンレスの耐酸化性が向上し、特に電気導体２０と延長部２１の接続部の接触抵抗の増大を防止することができ、信頼性が向上する。
【００６０】
なお、本実施の形態１、２において各電気導体と低電位部（商用電源電位や大地等）との接続を接続部８の１箇所のみで行っていたが、複数個設けて、単純に信頼性を増したり、複数の接続部８間に電流を流して接続の有無を検知したりして、接続が良好の時のみ加熱コイル１に通電する構成とすればより安全性を向上できる。
【産業上の利用可能性】
【００６１】
以上のように、本発明にかかる誘導加熱調理器は、人体への感電をなくし、かつ被加熱物の浮き上がりを防止した信頼性が高くコンパクト設計可能なものであるので、誘導加熱装置などとして有用である。
【図面の簡単な説明】
【００６２】
【図１】（ａ）本発明の実施の形態１における誘導加熱装置の断面図（ｂ）一様断面の延長部の一例を示す図（ｃ）一様断面の延長部の一例を示す図
【図２】本発明の実施の形態２における誘導加熱装置の断面図
【符号の説明】
【００６３】
１  加熱コイル
２  支持体
４  電気導体
５  トッププレート
７  延長部
８  接続部
１３  被加熱物
１５  曲げ部
１６  案内部
１７  ストッパ
１８  ストッパ
１９  曲げ角度調整部
２０  電気導体
２１  延長部
【図１】
2006310117.tif 000003
【図２】
2006310117.tif 000004